(57)【要約】    【課題】ドア袖パネルに固定するカメラ付玄関子機に汎用性を持たせる。    【解決手段】居室親機２に接続され居室親機２を呼び出すための呼出ボタン１１、玄関に来訪した来訪者を撮像し映像信号を居室親機２に伝送するためのカメラ１２のカメラカバー１５、居室親機２と通話するスピーカ１３のスピーカ格子１０ａ、マイク１４のマイク穴１０ｂを有するカメラ付玄関子機１をドア袖パネル３に固定するにあたり、カメラ付玄関子機１のカメラカバー１５、スピーカ格子１０ａ、マイク穴１０ｂ、呼出ボタン１１は凸形状部１６に一体的に形成してドア袖パネル３に穿孔した単孔３ａから突出させ、ドア袖パネル３に植立したスタッドビス３１を凸形状部１６の周辺部１７の取付穴１０ｄにナット３２で取り付けて固定する。    【選択図】図１
2005136700.tif 000002
【特許請求の範囲】
【請求項１】
居室親機（２）に接続され前記居室親機を呼び出すための呼出ボタン（１１）、玄関に来訪した来訪者を撮像し映像信号を前記居室親機に伝送するためのカメラ（１２）のカメラカバー（１５）、前記居室親機と通話するスピーカ（１３）のスピーカ格子（１０ａ）、マイク（１４）のマイク穴（１０ｂ）を有するカメラ付玄関子機（１）をドア袖パネル（３）に固定するにあたり、
前記カメラ付玄関子機の前記カメラカバー、前記スピーカ格子、前記マイク穴、前記呼出ボタンは凸形状部（１６）に一体的に形成して前記ドア袖パネルに穿孔した単孔（３ａ）から突出させ、
前記ドア袖パネルに植立したスタッドビス（３１）を前記凸形状部の周辺部（１７）の取付穴（１０ｄ）にナット（３２）で取り付けて固定することを特徴とするインターホンの筐体構造。
【請求項２】
居室親機（２）に接続され前記居室親機を呼び出すための呼出ボタン（１１）、玄関に来訪した来訪者を撮像し映像信号を前記居室親機に伝送するためのカメラ（１２）のカメラカバー（１５）、前記居室親機と通話するスピーカ（１３）のスピーカ格子（１０ａ）、マイク（１４）のマイク穴（１０ｂ）を有するカメラ付玄関子機（１）をドア袖パネル（４）に固定するにあたり、
前記カメラ付玄関子機の前記カメラカバー、前記スピーカ格子、前記マイク穴、前記呼出ボタンは凸形状部（１６）に一体的に形成し、前記カメラ付玄関子機の前記スピーカ格子、前記マイク穴は同一面（１８）で、前記カメラカバーは前記同一面より飛び出した段差（１９）を有し、
前記ドア袖パネルに前記カメラのカメラ穴（４ｂ）、前記スピーカのスピーカ格子（４ｃ）、前記マイクのマイク穴（４ｄ）及び前記呼出ボタンの呼出ボタン穴（４ａ）を穿設して前記カメラ付玄関子機に取り付け、
前記ドア袖パネルに植立したスタッドビス（４１）を前記凸形状部の周辺部（１７）の取付穴（１０ｄ）にナット（４２）で取り付けて固定することを特徴とするインターホンの筐体構造。
【請求項３】
前記凸形状部の上面に前記ドア袖パネルを取り付ける場合に、前記取付穴にスペーサー（５）を嵌め込んで、前記凸形状部と前記周辺部との段差をなくすことを特徴とする請求項２に記載のインターホンの筐体構造。
【請求項４】
前記スペーサーは前記周辺部の一部にジョイント（１０ｆ）で一体化して設け、前記スペーサーを使用する場合に前記ジョイントをニッパー等の切断工具で切断して使用することを特徴とする請求項３に記載のインターホンの筐体構造。
【発明の詳細な説明】
【技術分野】
【０００１】
本発明はインターホンの筐体構造に係り、特にカメラ付玄関子機の本体をドア袖パネルに固定するためのインターホンの筐体構造に関する。
【背景技術】
【０００２】
従来から、カメラ付玄関子機を住戸玄関等に設置する際に、ドア袖パネルに固定して設置するのが一般的である。カメラ付玄関子機は図４に示すように、居室親機を呼び出すための呼出ボタン１０１、玄関に来訪した来訪者を撮像するためのカメラ１０２のカメラカバー１０３、居室親機と通話するスピーカ１０４のスピーカ格子１０５やマイク１０６のマイク穴１０７を有している。また、ドア袖パネル２００は呼出ボタン１０１の呼出ボタン穴２０１、カメラカバー１０３のカメラ穴２０２、スピーカ１０４のスピーカ格子２０３及びマイク１０６のマイク穴２０４がそれぞれ穿孔されている。
【０００３】
このようなカメラ付玄関子機１００をドア袖パネル２００に固定すると、カメラ付玄関子機１００の呼出ボタン１０１、カメラカバー１０３、スピーカ格子１０５及びマイク穴１０７と、ドア袖パネル２００の呼出ボタン穴２０１、カメラ穴２０２、スピーカ格子２０３及びマイク穴２０４とはそれぞれ同一位置に配置されるようになっている。（例えば、非特許文献１参照）。
【０００４】
【非特許文献１】アイホン  総合カタログ  ２００３／２００４年版（１１８頁、２３７頁）
【発明の開示】
【発明が解決しようとする課題】
【０００５】
背景技術に記載したカメラ付玄関子機１００は、呼出ボタン１０１、カメラカバー１０３、スピーカ格子１０５及びマイク穴１０７が一体感がなく別個独立して配設されていることから、ドア袖パネルに対してそれぞれの穴を別個で開けなければならず製造コストがかかっていたので、このドア袖パネルの製造コスト削減のためにドア袖パネルの製造者からこの穴を減らして欲しいという要望があった。ところが、デザイン重視のためにこの穴を自由に開けたいというドア袖パネルの製造者からの要望もあり、まったく相反する２つの要望を満足させるために２つの機種を開発して対応しなければならなかった。また、このように２つの機種を開発することになると、非常にコストがかかってしまうことになるので、ドア袖パネルの製造コスト削減という要望に応えることができなくなる。
【０００６】
本発明は、このような従来の難点を解決するためになされたもので、ドア袖パネルに固定するカメラ付玄関子機に汎用性を持たせることができるインターホンの筐体構造を提供することを目的とする。
【課題を解決するための手段】
【０００７】
本発明の第１の態様であるインターホンの筐体構造は、居室親機に接続され居室親機を呼び出すための呼出ボタン、玄関に来訪した来訪者を撮像し映像信号を居室親機に伝送するためのカメラのカメラカバー、居室親機と通話するスピーカのスピーカ格子、マイクのマイク穴を有するカメラ付玄関子機をドア袖パネルに固定するにあたり、カメラ付玄関子機のカメラカバー、スピーカ格子、マイク穴、呼出ボタンは凸形状部に一体的に形成してドア袖パネルに穿孔した単孔から突出させ、ドア袖パネルに植立したスタッドビスを凸形状部の周辺部の取付穴にナットで取り付けて固定するものである。
【０００８】
本発明の第２の態様であるインターホンの筐体構造は、居室親機に接続され居室親機を呼び出すための呼出ボタン、玄関に来訪した来訪者を撮像し映像信号を居室親機に伝送するためのカメラのカメラカバー、居室親機と通話するスピーカのスピーカ格子、マイクのマイク穴を有するカメラ付玄関子機をドア袖パネルに固定するにあたり、カメラ付玄関子機のカメラカバー、スピーカ格子、マイク穴、呼出ボタンは凸形状部に一体的に形成し、カメラ付玄関子機のスピーカ格子、マイク穴は同一面で、カメラカバーは同一面より飛び出した段差を有し、ドア袖パネルにカメラのカメラ穴、スピーカのスピーカ格子、マイクのマイク穴及び呼出ボタンの呼出ボタン穴を穿設してカメラ付玄関子機に取り付け、ドア袖パネルに植立したスタッドビスを凸形状部の周辺部の取付穴にナットで取り付けて固定するものである。
【０００９】
本発明の第３の態様は第２の態様であるインターホンの筐体構造において、凸形状部の上面にドア袖パネルを取り付ける場合に、取付穴にスペーサーを嵌め込んで、凸形状部と周辺部との段差をなくすものである。
【００１０】
本発明の第４の態様は第３の態様であるインターホンの筐体構造において、スペーサーは周辺部の一部にジョイントで一体化して設け、スペーサーを使用する場合にジョイントをニッパー等の切断工具で切断して使用するものである。
【発明の効果】
【００１１】
以上、説明したように、本発明のインターホンの筐体構造によれば、１種類のインターホン子機の本体で、製造コスト削減のために穴を減らしたドア袖パネルと、デザイン重視のために穴を自由に開けたドア袖パネルの両方に適用させることができる。したがって、ドア袖パネルの製造コスト削減のために穴を減らして欲しいという要望と、デザイン重視のために穴を自由に開けたいという要望というまったく相反する２つの要望に対して同時に応えることができるようになる。
【発明を実施するための最良の形態】
【００１２】
以下、本発明のインターホンの筐体構造を実施するための最良の形態例について、図面を参照して説明する。
【００１３】
本発明を実施するための最良の一形態である筐体構造が適用されるインターホンは図１（ａ）に示すように、玄関の戸外に設置され来訪者を撮像するカメラ付玄関子機１と、カメラ付玄関子機１で撮像した来訪者の画像を表示する居室親機２とから構成され伝送路Ｌ１によって接続されている。
【００１４】
カメラ付玄関子機１は、居室親機２を呼び出すための呼出ボタン１１と、玄関に来訪した来訪者を撮像し映像信号を居室親機２に伝送するためのカメラ１２と、居室親機２と通話するためのスピーカ１３及びマイク１４とを備えている。また、居室親機２は、カメラ付玄関子機１の呼び出しに応答して通話可能にする通話ボタン２１と、カメラ付玄関子機１と通話するためのスピーカ２２及びマイク２３と、カメラ付玄関子機１のカメラ１２からの映像信号の画像を表示するモニタ２４とを備えている。
【００１５】
このようなインターホンのカメラ付玄関子機１は図１（ｂ）に示すように、本体１０にカメラ１２のカメラカバー１５、スピーカ１３のスピーカ格子１０ａ、マイク１４のマイク穴１０ｂ及び呼出ボタン１１の呼出ボタン穴１０ｃが、例えば上面から見て矩形に形成された凸形状部１６に一体的に形成されている。カメラカバー１５は本体１０の上部に固定され、呼出ボタン穴１０ｃは下部に穿孔され、スピーカ格子１０ａはカメラカバー１５と呼出ボタン穴１０ｃとの間に設けられ、マイク穴１０ｂは呼出ボタン穴１０ｃの横に設けられている。
【００１６】
また、このようなカメラ付玄関子機１は、玄関に設置する際にドア袖パネル３に固定させる。このドア袖パネル３には、カメラ付玄関子機１のカメラカバー１５、スピーカ格子１０ａ、マイク穴１０ｂ、呼出ボタン１１が一体的に形成された凸形状部１６をすべて突出させることができる単孔３ａが穿孔されている。また、このドア袖パネル３には、カメラ付玄関子機１を固定するためのスタッドビス３１が例えば所定位置の４箇所に、植立、即ち、突き出した状態に設けられている。カメラ付玄関子機１は、このスタッドビス３１を挿入して固定するために凸形状部１６の周辺部１７に取付穴１０ｄが穿孔されている。この取付穴１０ｄが穿孔されたカメラ付玄関子機１の表面にドア袖パネル３の裏面を合わせると、ドア袖パネル３のスタッドビス３１がカメラ付玄関子機１の取付穴１０ｄに挿入されることになるので、この取付穴１０ｄから突出しているスタッドビス３１にナット３２を螺合させると、カメラ付玄関子機１をドア袖パネル３に固定させることができる。
【００１７】
このようにカメラ付玄関子機１のカメラカバー１５、スピーカ格子１０ａ、マイク穴１０ｂ、呼出ボタン１１を一体的に形成された凸形状部１６にしたので、ドア袖パネル３のカメラカバー１５、スピーカ格子１０ａ、マイク穴１０ｂ、呼出ボタン１１を露出するための穴を単純な矩形の単孔にすることができる。したがって、金属から成るドア袖パネル３のプレス加工が容易になる。
【００１８】
なお、このようなカメラカバー１５、スピーカ格子１０ａ、マイク穴１０ｂ、呼出ボタン１１を一体的に形成された凸形状部１６を有するカメラ付玄関子機１は、呼出ボタンの呼出ボタン穴、カメラのカメラ穴、スピーカのスピーカ格子及びマイクのマイク穴がそれぞれ穿孔されたドア袖パネルに固定させることもできる。
【００１９】
このようなインターホンの筐体構造は図２に示すように、カメラ付玄関子機１は上述したカメラ付玄関子機１と同様で、本体１０にカメラ１２のカメラカバー１５、スピーカ１３のスピーカ格子１０ａ、マイク１４のマイク穴１０ｂ及び呼出ボタン１１の呼出ボタン穴１０ｃが、例えば上面から見て矩形に形成された凸形状部１６に一体的に形成されている。カメラカバー１５は本体１０の上部に固定され、呼出ボタン穴１０ｃは下部に穿孔され、スピーカ格子１０ａはカメラカバー１５と呼出ボタン穴１０ｃとの間に設けられ、マイク穴１０ｂは呼出ボタン穴１０ｃの横に設けられている。また、カメラ付玄関子機１のスピーカ格子１０ａ及びマイク穴１０ｂは同一面１８で、カメラカバー１５はその同一面１８より飛び出した段差１９を有している。これにより、呼出ボタン１１の呼出ボタン穴４ａ、カメラ１２のカメラ穴４ｂ、スピーカ１３のスピーカ格子４ｃ及びマイク１４のマイク穴４ｄがそれぞれ穿孔されたドア袖パネル４にも適用させることができる。このドア袖パネル４にも上述したドア袖パネル３と同様に、カメラ付玄関子機１を固定するためのスタッドビス４１が例えば所定位置の４箇所に、植立されている。
【００２０】
また、カメラ付玄関子機１の凸形状部１６の上面にドア袖パネル４を取り付ける場合に、カメラ付玄関子機１の凸形状部１６と周辺部１７とに段差が生じるので、カメラ付玄関子機１にはドア袖パネル４のスタッドビス４１を挿入するための取付穴１０ｄに段部１０ｅを設け、この段部１０ｅに嵌合し凸形状部１６と周辺部１７との段差をなくすためのスペーサー５を嵌め込む。なお、このスペーサー５は図３、図１（ｂ）に示すように、カメラ付玄関子機１の周辺部１７の一部にジョイント１０ｆで一体化して設けられている。したがって、このスペーサー５を使用する場合には、ジョイント１０ｆをニッパー等の切断工具で切断して使用する。これにより、取付穴１０ｄが穿孔されたカメラ付玄関子機１の表面にドア袖パネル４の裏面を合わせて、ドア袖パネル４のスタッドビス４１をカメラ付玄関子機１の取付穴１０ｄに挿入し、この取付穴１０ｄから突出しているスタッドビス４１にナット４２を螺合させる際、取付穴１０ｄに嵌め込まれたスペーサー５によりカメラ付玄関子機１の凸形状部１６と周辺部１７との段差をなくすことができるので、カメラ付玄関子機１をドア袖パネル４にガタつくことなく固定できる。
【００２１】
このように、カメラ付玄関子機のカメラカバー、スピーカ格子、マイク穴、呼出ボタンを一体的に形成された凸形状部にしたので、単孔が穿孔されたドア袖パネルや、呼出ボタンの呼出ボタン穴、カメラのカメラ穴、スピーカのスピーカ格子及びマイクのマイク穴がそれぞれ穿孔されたドア袖パネルにも適用可能となり、カメラ付玄関子機に汎用性を持たせることができる。
【００２２】
なお、本発明の最良の実施の一形態においては、居室親機にハンドセットを備えていない所謂ハンズフリーのものを用いていたが、これに限らず、ハンドセットを備えた居室親機や、通話のためのマイク、スピーカとハンドセットとを両方具備することができる居室親機でもよいことは言うまでもない。
【００２３】
また、本発明の最良の実施の一形態においては、カメラ付玄関子機のカメラカバー、スピーカ格子、マイク穴、呼出ボタンを一体的に形成された凸形状部は上面から見て矩形状に形成されていたが、これに限らず、カメラ付玄関子機のカメラカバー、スピーカ格子、マイク穴、呼出ボタンが一体的に形成されてる凸形状部であればどのような形状のものでもよい。
【図面の簡単な説明】
【００２４】
【図１】本発明のインターホンの筐体構造による最良な実施の一形態を示す図で、（ａ）はインターホンの説明図で、（ｂ）はカメラ付玄関子機とドア袖パネルの斜視図。
【図２】本発明のインターホンの筐体構造による他の最良な実施の一形態を示す斜視図。
【図３】本発明のインターホンの筐体構造の主構成要素であるカメラ付玄関子機を示す説明図。
【図４】従来のインターホンの筐体構造を示す斜視図。
【符号の説明】
【００２５】
１……カメラ付玄関機
１０ａ……スピーカ格子
１０ｂ……マイク穴
１０ｄ……取付穴
１０ｆ……ジョイント
１１……呼出ボタン
１２……カメラ
１３……スピーカ
１４……マイク
１５……カメラカバー
１６……凸形状部
１７……周辺部
１８……同一面
１９……段差
２……居室親機
３……ドア袖パネル
３ａ……単孔
３１……スタッドビス
３２……ナット
４……ドア袖パネル
４ａ……呼出ボタン穴
４ｂ……カメラ穴
４ｃ……スピーカ格子
４ｄ……マイク穴
４１……スタッドビス
４２……ナット
５……スペーサー
【図１】
2005136700.tif 000003
【図２】
2005136700.tif 000004
【図３】
2005136700.tif 000005
【図４】
2005136700.tif 000006